(57)【要約】【課題】従来、コンクリートの湛水養生用の止水壁は、その止水性が十分でなかった。【解決手段】本発明の湛水養生用の止水壁は、コンクリート型枠の天端８ａを、湛水養生するためのコンクリート１面より高く形成したコンクリート型枠８と、このコンクリート型枠８の内側に所望の距離離間して、上記コンクリート１上に載置した、所望の高さと所望の重量とを有する長尺部材９と、上記コンクリート型枠８と上記長尺部材９との間に発泡ウレタン形成用材料を充填して、硬化させた発泡ウレタン１０とよりなることを特徴とする。【選択図】図１
2014134023.tif 000002
【特許請求の範囲】
【請求項１】
コンクリート型枠の天端を、湛水養生するためのコンクリート面より高く形成したコンクリート型枠と、
このコンクリート型枠の内側に所望の距離離間して、上記コンクリート上に載置した、所望の高さと所望の重量とを有する長尺部材と、
上記コンクリート型枠と上記長尺部材との間に発泡ウレタン形成用材料を充填して、硬化させた発泡ウレタンとよりなることを特徴とする湛水養生用の止水壁。
【請求項２】
上記長尺部材は、形鋼であることを特徴とする請求項１記載の湛水養生用の止水壁。
【請求項３】
コンクリート型枠の天端を、湛水養生するためのコンクリート面より高く形成したコンクリート型枠の内側に所望の距離離間して、上記コンクリート上に、所望の高さと所望の重量とを有する長尺部材を載置する工程と、
上記コンクリート型枠と上記長尺部材との間に、発泡ウレタン形成用材料を充填する工程と、
上記発泡ウレタン形成用材料を硬化して発泡ウレタンを形成し、止水壁を形成する工程と、
上記発泡ウレタンを止水壁として利用して、上記コンクリート上に湛水用水を供給し、コンクリートを湛水養生する工程と
よりなることを特徴とする湛水養生方法。
【発明の詳細な説明】
【技術分野】
【０００１】
本発明は、コンクリートの湛水養生用の止水壁及びその止水壁を利用した湛水養生方法、特に、止水性と施工性に優れた止水壁及びその止水壁を利用した湛水養生方法に関するものである。
【背景技術】
【０００２】
打設したコンクリートは水和反応に必要な水が十分に供給されることで硬化が進み強度が発現する。この打設したコンクリートの養生方法には、コンクリート上に養生マットを敷設し散水を行い、湿潤状態を保つ方法がある。また、保水性のあるシートを用いる方法や皮膜養生剤により散水せずに湿潤状態を保つ方法もある。
【０００３】
しかしながら、養生マットによる湿潤養生では、一日程度で養生マットが乾燥してしまうため毎日散水を行う必要がある。また、保水性のあるシートを用いれば散水回数は減らせるが、コストがかかる。
【０００４】
そのため、コンクリート面の端部に数ｃｍ程度の止水壁を設け、その中に湛水用水を湛えて湛水養生を行う方法がある。この湛水養生は完全な湿潤状態が確保できるため、コンクリート品質の向上に効果的である。
【０００５】
この止水壁としては、例えば、コンクリートの端部を盛り上げて、止水壁を形成するものがある（引用文献１の図８（ａ））。
【０００６】
また、端部のコンクリート型枠の天端をコンクリート面よりも高くして、止水壁として利用する方法があるが、この場合、水が流失しないように止水対策を行う必要がある。
【０００７】
この止水対策として、型枠間の隙間等をコーキングしたり、端部に遮水性のある遮水シートを設置したりする方法がある。
【０００８】
また、コーキングの代わりに、コンクリート型枠の内側にスポンジを配置すると共に、そのスポンジの内側に砂を設置し、スポンジが移動しないようにしたものもある（引用文献１の図８（ｂ））。
【０００９】
また、図２に示すように、湛水養生すべきコンクリート１の端部の縁部に沿って、エラスチックフィラー２を介して長尺状の押え金具３を載置し、この押え金具３を、上記コンクリート１に埋め込んだアンカー筋４とフォームタイ（登録商標）５により挟持して固定することにより止水壁を形成させるものもある。なお、６は、上記コンクリート１とフォームタイ５間に介挿された添木材、７はＰコンである。
【先行技術文献】
【特許文献】
【００１０】
【特許文献１】特開平１０−１１０４２０号公報
【発明の概要】
【発明が解決しようとする課題】
【００１１】
しかしながら、上記コンクリートを盛り上げる方法は、盛り上げに手間がかかるだけでなく、盛り上げ部分の品質が悪くなりやすく、そこから水が漏れるおそれがある。
【００１２】
また、型枠間をコーキングする方法は、コーキングの手間がかかるだけでなく、養生終了後に、その取り外しに時間がかかる。また、遮水シートの場合は、固定が難しく、止水を完全にするのは難しい。
【００１３】
また、スポンジや砂では止水性を十分に確保できず、また、スポンジがずれて水が漏れてしまうおそれがある。
【００１４】
また、押え金具３を用いる止水壁は、設置の手間がかかる。
【００１５】
本発明は、上記の欠点を除くようにしたものであり、施工が簡単で、かつ、止水性がある湛水養生用の止水壁を提供すると共に、その止水壁を利用した湛水養生方法を提供するものである。
【課題を解決するための手段】
【００１６】
本発明の湛水養生用の止水壁は、コンクリート型枠の天端を、湛水養生するためのコンクリート面より高く形成したコンクリート型枠と、このコンクリート型枠の内側に所望の距離離間して、上記コンクリート上に載置した、所望の高さと所望の重量とを有する長尺部材と、上記コンクリート型枠と上記長尺部材との間に発泡ウレタン形成用材料を充填して、硬化させた発泡ウレタンとよりなることを特徴とする。
【００１７】
また、コンクリートの湛水養生方法は、コンクリート型枠の天端を、湛水養生するためのコンクリート面より高く形成したコンクリート型枠の内側に所望の距離離間して、上記コンクリート上に、所望の高さと所望の重量とを有する長尺部材を載置する工程と、上記コンクリート型枠と上記長尺部材との間に、発泡ウレタン形成用材料を充填する工程と、上記発泡ウレタン形成用材料を硬化して発泡ウレタンを形成し、止水壁を形成する工程と、上記発泡ウレタンを止水壁として利用して、上記コンクリート上に湛水用水を供給し、コンクリートを湛水養生する工程とよりなることを特徴とする。
【００１８】
また、上記長尺材は、形鋼であることを特徴とする。
【発明の効果】
【００１９】
本発明によれば、発泡ウレタンは、型枠間や、長尺部材とコンクリートとの間に隙間なく充填されるので、十分に止水性のある止水壁を形成することができる。
【００２０】
また、発泡ウレタンのコンクリート面への密着性がよく、簡単には移動しないので、別途、固定手段を設ける必要はない。
【００２１】
また、発泡ウレタンの吸水性より、発泡ウレタンが接するコンクリート面上の養生も確保できる。
【００２２】
また、形鋼は適度の重さと形状を有するため、発泡ウレタンの形成時の膨張によっても動くことがなく、また、養生終了後の発泡ウレタンの取り外しも容易である。
【図面の簡単な説明】
【００２３】
【図１】本発明の湛水養生用の止水壁の縦断側面図である。
【図２】従来の湛水養生用の止水壁の縦断側面図である。
【発明を実施するための形態】
【００２４】
以下図面によって本発明の実施例を説明する。
【実施例１】
【００２５】
図１は本発明の湛水養生用の止水壁を示し、この止水壁は、コンクリート型枠の天端８ａを、湛水養生するためのコンクリート１面より高く形成したコンクリート型枠８と、このコンクリート型枠８に所望の距離離間すると共に、上記コンクリート型枠８に沿って載置した、所望の高さと所望の重量を有する等辺山型鋼などの形鋼などの長尺部材９と、上記コンクリート型枠８と上記長尺部材９との間に、発泡ウレタン形成用材料を充填して、硬化させた発泡ウレタン１０とよりなる。
【００２６】
また、上記長尺部材９の所望の高さとは、湛水養生に必要な水の高さ以上の高さであり、所望の重量とは、発泡ウレタンが膨張する時の膨張圧力によっても移動しない程度の重さをいい、特に、形鋼がこの条件を満たしていて好ましい。
【００２７】
また、上記発泡ウレタン形成用材料は、ポリオール材料と、イソシアネート材料と、水と、必要に応じて添加する添加剤とよりなり、上記コンクリート型枠８と長尺部材９との間に、ポリオール材料に水を加えたものと、イソシアネート材料とを混ぜ合わせて投入し、ウレタン結合の化学反応を発生させると共に、発泡させ、そして、硬化した発泡ウレタン１０を得る。
【００２８】
なお、硬化後の発泡ウレタンの硬化度、クッション性、及びコンクリートとの適度な接着性が止水壁として適したものであれば好ましい。
【００２９】
すなわち、上記ポリオール材料として、例えば、ポリエーテルポリオールを用い、硬化度を維持するために、その水酸基の分子量が５００〜８５０ｍｇ／ｇのポリオール材料Ａを用いるのが好ましい。市販品として例えば、東邦化学社製の東邦ポリオールＱＢ２６０、日本ポリウレタン製のポリオール６００、三洋化成製のサンニックス（登録商標）ＰＰ３０００などがあげられる。
【００３０】
また、クッション性および接着性を維持するために、水酸基の分子量が５０〜２００ｍｇ／ｇのポリオール材料Ｂとの混合を行うことが望ましい。市販品として例えば、東邦化学製の東邦ポリオールＰＢ２５０、三洋化成製のサンニックスＰＰ６００、和光純薬工業社製のポリエチレングリコール１００などがあげられる。
【００３１】
なお、イソシアネート材料は、脂肪族、芳香族など多くの既往の製品があり、特段の種類を問う必要はない。市販品として例えば、日本ポリウレタン工業社製ＭＤＩ、ＴＤＩ、ＨＤＩ（ミリオネート（登録商標）製品、コロネート（登録商標）製品など）、三井化学社製のタケネート（登録商標）５００、東京化成工業社製の鹿特級のジイソシアン酸ヘキサメチレン、同社製の鹿特級の４，４-ジイソシアン酸メチレンジフェニルなどがあげられる。
【００３２】
また、水は、ポリオール材料の総量に対し、０．１〜１％の重量比の範囲の添加が好ましい。
【００３３】
また、上記分子量の高いポリオール材料Ａと上記分子量の低いポリオール材料Ｂについては、水酸基の比率が分子量比（即ち、水酸基価）でＡ：Ｂ＝２：１〜４：１となるような添加量の調整を行う。即ち、反応させるものの分子量の比率を２：１〜４：１とするもので、例えば、上記ポリオール材料Ａの水酸基の含有率が５００ｍｇ／ｇで、上記ポリオール材料Ｂの水酸基の含有率が２５０ｍｇ／ｇで、分子量比をＡ：Ｂ＝２：１となる材料を１ｋｇ分作成するためには、ポリオール材料Ａ、ポリオール材料Ｂはそれぞれ５００ｇずつ混ぜ合わせる必要がある。
【００３４】
また、現地で混ぜる際のイソシアネートの添加量は、水の添加量を加えたイソシアネートインデックスが１０５〜１５０の範囲になるような量に設定するのが好ましい。
【００３５】
その他、現地の気温・湿度の状況に合わせて、整泡剤、消泡剤などの添加剤をあらかじめポリオール混合物に添加してもよい。その添加量は、発泡ウレタン形成用材料の全体量に対し、０．１〜３％の重量比とすることが好ましい。
【００３６】
消泡剤は市販品としては、信越化学社製のジメチルシリコーンオイルＫＦ−９６−２００ＣＳ、エマルジョン型としてＫＭ−７３などがあげられる。また、整泡剤は市販品としては、同社製のＦ−６０７、Ｆ−５１８、Ｆ−６２８などがあげられる。
【００３７】
次に、コンクリートの湛水養生方法を説明する。
【００３８】
まず、コンクリート型枠８の天端８ａから所望の距離下まで、コンクリートを打設する。そして、このコンクリート１を湛水養生するために、上記コンクリート１上に、上記コンクリート型枠８に所望の距離離間すると共に、上記コンクリート型枠８に沿って、等辺山型鋼などの長尺部材９を載置する。なお、この載置は、コンクリート上に単に置くだけでよい。
【００３９】
そして、上記コンクリート型枠８と上記長尺部材９との間に、ポリオール材料に水を加えたものと、イソシアネート材料とを混ぜ合わせて直ちに投入し、これにより、発泡ウレタンが膨張し、上記コンクリート型枠８と長尺部材９間に充填されると共に、隙間を充填するように膨張するため、型枠の隙間や、コンクリートと長尺部材との間に隙間なく充填され、そして硬化した発泡ウレタンが形成される。
【００４０】
そして、上記発泡ウレタン１０は吸水性及び止水性を有し、かつ、コンクリートに適度に密着するため、湛水養生用の止水壁をコンクリート上に形成することができるようになる。
【００４１】
そして、この発泡ウレタンを止水壁として利用して、上記コンクリート上に湛水用水を供給し、コンクリートを湛水養生する。
【００４２】
また、湛水養生後は、剥離剤、薬剤を用いたり、発泡ウレタンにビニールテープを貼付して剥がしたりして、発泡ウレタンを長尺部材から撤去させる。
【００４３】
本発明の湛水養生用の止水壁及びこの止水壁を利用した湛水養生方法によれば、適度な強度と止水性のある止水壁を形成でき、また、容易に湛水養生をすることができるようになる。
【００４４】
また、発泡ウレタンは、コンクリート型枠８や所望の重量を有する長尺部材９を移動させたり、変形させたりする程の膨張圧力を有しない。従って、長尺部材の配置によって、硬化後の発泡ウレタンの形状をコントロールすることができる。
【００４５】
また、所望の重さを有する長尺部材９を用いているので、発泡ウレタンの発泡時の膨張圧力によっても移動しないため、長尺部材９の固定のために、コンクリート１にアンカーなどを固定する必要がない。
【００４６】
また、コンクリート面に不陸があって、このコンクリート面と、その上に載置した長尺部材との間に隙間が生じても、その隙間を埋めるように、発泡ウレタンが充填されるため、止水性を高めることができる。
【００４７】
また、発泡ウレタンは吸水性を有するため、発泡ウレタンの底面も保湿性が高く、発泡ウレタンで覆われたコンクリート面の湛水養生もできる。
【００４８】
また、湛水養生後の発泡ウレタンの撤去も容易となる。
【符号の説明】
【００４９】
１    コンクリート
２    エラスチックフィラー
３    押え金具
４    アンカー筋
５    フォームタイ
６    添木材
７    Ｐコン
８    コンクリート型枠
８ａ  天端
９    長尺部材
１０  発泡ウレタン
【図１】
2014134023.tif 000003
【図２】
2014134023.tif 000004